(57)【要約】【課題】  コネクタの固定具において結合もしくは接続状態でコネクタに応力がかからないようにする。【解決手段】  嵌合片（４４）に少なくとも一つのコネクタ要素（３６）を固定する固定具（Ｂ）であって、少なくとも一つのコネクタ要素（３６）を少なくとも部分的に保持するよう設計されている少なくとも一つのコネクタ要素ホルダー（１０）と、このコネクタ要素ホルダーへ取りつけた少なくとも２つの固定要素を備えている。これらの固定要素は撥ねかえることができ、嵌合片へコネクタ要素ホルダー（１０）を固定するよう使用され、それぞれの固定要素（１４）は少なくとも一つの係合部（２８）を有し、この係合部はコネクタ要素ホルダー（１０）から離れる方向に向いており、そして嵌合片（４４）と係合するよう設計されていて嵌合片（４４）へコネクタ要素（３６）を固定する。【選択図】          図１
2005093442.tif 000002
【特許請求の範囲】
【請求項１】
嵌合片（４４）に少なくとも一つのコネクタ要素（３６）を固定する固定具（Ｂ）において、
少なくとも一つのコネクタ要素（３６）を少なくとも部分的に保持するよう設計されている少なくとも一つのコネクタ要素ホルダー（１０）、
このコネクタ要素ホルダー（１０）へ取りつけた少なくとも２つの固定要素（１４）
を備え、これらの固定要素は撥ねかえることができ、嵌合片（４４）へコネクタ要素ホルダー（１０）を固定するよう使用され、それぞれの固定要素（１４）は少なくとも一つの係合部（２８）を有し、この係合部はコネクタ要素ホルダー（１０）から離れる方向に向いており、そして嵌合片（４４）と係合するよう設計されていて嵌合片（４４）へコネクタ要素（３６）を固定するようにしたことを特徴とする固定具（Ｂ）。
【請求項２】
それぞれの係合部（２８）は嵌合片（４４）へのコネクタ要素（３６）の結合方向（ＫＲ）に垂直になっている請求項１に記載の固定具（Ｂ）。
【請求項３】
嵌合片（４４）へのコネクタ要素（３６）の結合操作中それぞれの固定要素（１４）は外方へ反って、係合部（２８）が嵌合片（４４）と係合する請求項１もしくは２に記載の固定具（Ｂ）。
【請求項４】
コネクタ要素ホルダー（１０）の方向で固定要素（１４）が撓んで、係合部（２８）が嵌合片（４４）と内側から係合する請求項３に記載の固定具（Ｂ）。
【請求項５】
それぞれの案内面（３０）が結合方向（ＫＲ）に対して傾斜して固定要素（１４）に形成され、固定具（Ｂ）を嵌合片（４４）に結合させるとき、固定要素（１４）が外方に撓むようにした請求項１ないし４のいずれかに記載の固定具（Ｂ）。
【請求項６】
固定具（Ｂ）を嵌合片（４４）に結合するときコネクタ要素ホルダー（１０）の方向に外方に固定要素（１４）が撓む請求項５に記載の固定具（Ｂ）。
【請求項７】
固定要素（１４）のそれぞれにタイロッド（１６）が取りつけられている請求項１ないし６のいずれかに記載の固定具（Ｂ）。
【請求項８】
コネクタ要素ホルダー（１０）と固定要素（１４）とが一体に造られている請求項１ないし７のいずれかに記載の固定具（Ｂ）。
【発明の詳細な説明】
【技術分野】
【０００１】
本発明はコネクタのための固定具、少なくとも一つの嵌合片に少なくとも一つのコネクタ要素を固定するシステムに係るものであり、また、少なくとも一つの嵌合片に少なくとも一つのコネクタ要素を固定する方法に係るものである。
【背景技術】
【０００２】
従来は、ＲＦ４５ネットワークコネクタのようなコネクタが保持デバイスによりマッチングブッシュへ固定され、保持デバイスはプラグの一体部分であってブッシュに錠止する。このような構成は、例えばコンピューターを地域ネットワークへ接続するためのネットワークプラグに使用するよう設計されている。この場合プラグはプラグの自重と通常は短いケーブルの自重により生じる力に耐えなければならない。
【０００３】
コンピューターや他のマイクロエレクトロニックデバイスが生産部門で益々使用されてきているので、例えば産業で使用されている機械間のネットワーク接続をつくることが必要であるが、これらの接続を設計するに当り必要とされることは、接続ケーブルに望ましくない引っ張り、振動もしくは歪が加えられてプラグがそれの相手のソケットから抜けたり、接続が破壊されたりしないよう接続を設計することである。
【発明の開示】
【発明が解決しようとする課題】
【０００４】
本発明の目的は、結合もしくは接続状態でコネクタに応力がかからないようにしたコネクタの固定具を提供することである。
【課題を解決するための手段】
【０００５】
この目的は特許請求の範囲の請求項１に記載の特徴を有する固定具により達成される。従属請求項は好ましい実施例を記載している。
【０００６】
嵌合片に少なくとも一つのコネクタ要素を固定する本発明の固定具は、
少なくとも一つのコネクタ要素を少なくとも部分的に保持するよう設計されている少なくとも一つのコネクタ要素ホルダー、
このコネクタ要素ホルダーへ取りつけた少なくとも２つの固定要素
を備え、これらの固定要素は撥ねかえることができ、嵌合片へコネクタ要素ホルダーを固定するよう使用され、それぞれの固定要素は少なくとも一つの係合部を有し、この係合部はコネクタ要素ホルダーから離れる方向に向いており、そして嵌合片と係合するよう設計されていて嵌合片へコネクタ要素を固定するようにしたことを特徴とする。
【０００７】
コネクタ要素はこの場合プラグもしくはソケットのような従来のコネクタ要素でよい。コネクタ要素は電気コネクタ要素例えばケーブルコネクタ要素であるのが好ましい。
【０００８】
コネクタ要素ホルダーはそれが少なくとも一つのコネクタ要素を少なくとも部分的に包囲するよう設計されているのが好ましい。この場合、コネクタ要素ホルダーの横断面の幾何学的形状はコネクタ要素の横断面の幾何学的形状に一致する。換言すれば、もしコネクタ要素の横断面が矩形であれば、コネクタ要素ホルダーの横断面も同じように矩形であるのが好ましい。この場合、コネクタ要素ホルダーは好ましくは４つの側面を有し、これらの側面はコネクタ要素を包囲している。しかしながら、コネクタ要素とコネクタ要素ホルダーが異なる幾何学的形状を持っていることもある。コネクタ要素ホルダーに対して固定要素が相互に向きあっているのが好ましい。具体的には、固定要素がコネクタ要素ホルダーの両面に当っているのが好ましい。しかしながら、固定要素が固定具の別の点に当っていることもあり得る。
【０００９】
さらに、コネクタ要素ホルダー上に、撥ねかえれる少なくとも２つの固定要素があって、それらを使ってコネクタ要素ホルダーを嵌合片に固定する。この場合、コネクタ要素ホルダーへの接続は例えばネジにより機械的につくられ、ネジはコネクタ要素ホルダーへ固定要素を接続する。固定要素は係合部により嵌合片へ固定できる。この場合、コネクタ要素ホルダーに属する係合部は、コネクタ要素ホルダーに対して７０°と１１０°の間、好ましくは８５°と９５°の間の角度でその好ましい対向固定要素に配置されている。係合部は嵌合片と係合するようになり、そしてコネクタ要素ホルダーと嵌合片との間に堅固な接続をつくるように設計されている。この場合、係合するようになると言うことが意味していることは、係合部が少なくとも部分的に嵌合片の壁に重なることである。接続は例えば鉤と孔を使ってつくれるし、もしくは係合部を粘着性として嵌合片に接続することもできる。
【００１０】
嵌合片は少なくとも一つの開口を持ったプレートでよく、係合部は例えばその少なくとも一つの開口の縁と係合し、そして係合部はプレート状の嵌合片に平行に形成されている。
【００１１】
複数の開口を嵌合片に開けるのが好ましく、その数は係合部の数と一致するか、それよりも大きい。さらに、嵌合片は別のコネクタ要素、もしくは第2のコネクタ要素を含んでおり、それは最初に述べたコネクタ要素と一緒に取り付けられるのが好ましい。２つのコネクタ要素は例えばプラグとソケットの対である。
【００１２】
本発明によって別個の固定具によりコネクタ要素を固定できるようになったのであり、このことは従来技術のように、コネクタ要素に属してそれと一体に形成されている錠止デバイスにより嵌合片に直接固定するのとは違っている。この別個の固定具は、第2のコネクタ要素を少なくとも部分的に収容していなければならず、従って小さい従来の錠止デバイスよりも好ましいことに安定して形成される。固定具の安定設計のお蔭でコネクタ要素と嵌合片との間の接続は従来のようにして固定されたコネクタ要素よりも大きな力に耐えることができる。結果として、コネクタ要素と嵌合片との間で、特にすべての産業的用途において、確実な接続が保障される。例え、大きな引張りがコネクタ要素に加えられても、コネクタ要素と嵌合片との間の接続は確実である。
【００１３】
好ましい実施例では、それぞれの係合部は嵌合片へのコネクタ要素の結合方向に垂直になっている。ここで言う結合方向とは、コネクタ要素を含んでいる固定具が嵌合片と係合するため動く方向と平行な方向である。この結合方向は係合部の並びに対して直交している。結合方向はコネクタ要素例えばネットワークプラグからケーブルが出ている方向と好ましいことに一致している。換言すれば、結合方向はコネクタの縦軸方向に平行であり、コネクタ要素ホルダーの側面に平行である。
【００１４】
結果として、固定具はケーブルの軸方向における、すなわちケーブルがコネクタ要素から、そしてコネクタ要素ホルダーから出てくる方向におけるかなりの張力に耐えることさえできる。コネクタ要素ホルダーと嵌合片との間の結合面ができるだけ大きくなっているからである。かくして、本発明の好ましい固定具は、従来の仕方で固定されたコネクタ要素よりも軸方向で大きな力に耐えることができる。
【００１５】
別の好ましい実施例では、嵌合片への結合具の結合操作中それぞれの固定要素は外方へ反って、係合部が嵌合片と係合するように設計されている。係合部の相互間の距離は短いのが好ましい、すなわち、係合部は相互に向って、そしてコネクタ要素ホルダーの方へ、係合部が嵌合片の開口を通って案内される程度に動かされる。固定要素は、それらに力がかからなくなったら直ぐに最初の状態に向って撥ね戻ることができるように設計されているのが好ましい。すなわち、コネクタ要素ホルダーの方向に力がかからなくなるや否や固定要素はコネクタ要素ホルダーから離れる方向に動き、それにより係合部は嵌合片との係合に入る。
【００１６】
本発明によれば、嵌合片内で固定要素間の結合面はできるだけ大きく設計できる。固定要素、従ってそれらの係合部はそれぞれ結合操作中コネクタ要素ホルダーの方向に動けるからであり、つまりは固定要素とそれ故それらの係合部は相互に向って、そしてそれ故嵌合片の開口に嵌まり込むからである。
【００１７】
本発明の好ましい実施例では固定具が嵌合片に結合するときコネクタ要素ホルダーの方向に外方に反るように結合方向に対して傾斜している案内面が固定要素に形成されている。案内面とは固定要素上の表面であって、嵌合片と固定要素との間で接触を生じるように、そして同時に、固定具が結合方向に動いているとき固定要素が外方に撓むように揃えられた固定要素上の表面である。すなわち,この場合固定要素は、結合方向の力とは別に外側から固定具に力を加えることなく嵌合片と係合部が係合するように外方に反っている。換言すれば、嵌合片への固定具の自動固定、すなわち係合部と嵌合片との自動相互係合が達成される。
【００１８】
この実施例の利点は、例えば指で押すことによりコネクタ要素ホルダーの方向に外方に固定要素を反らせなければならないということはなく、その代わりに傾斜案内面を嵌合片と接触させ、好ましくは嵌合片の開口の対向縁に接触させて、それから結合方向に、すなわち嵌合片の方に固定具を押すだけで足りる。結果として、係合部が嵌合片の開口に嵌りこむまでコネクタ要素ホルダーの方向に外方に固定要素は反る。固定要素が撥ね返れるので、係合部が少なくとも部分的に嵌合片を通った後コネクタ要素ホルダーから離れる方向に固定要素は動く。係合部は嵌合片と係合し、具体的に言えば嵌合片の開口の縁と係合する。このことにより確実に、コネクタ要素ホルダーは嵌合片に、好ましくは挿入方向と反対の方向でロックされる。
【００１９】
本発明の好ましい実施例では固定要素のそれぞれにタイバーもしくはタイロッドが取りつけられている。このタイロッドは固定要素と一体であるのが好ましい要素で、好ましくは結合方向に平行な方向に伸びて剛性を高めると言うような特別の機械的特性を持っている。この場合タイロッドは箱状もしくは円筒状であって、固定要素とコネクタ要素ホルダーとの間の接続であるのが好ましい。このことが意味していることは、固定要素の剛性を僅かの材料を使うだけで高めれると言うことである。さらに、このようなタイロッドの形状により、もし例えばケーブルが結合方向でコネクタ要素ホルダーから出ていないと結合方向にコネクタ要素ホルダー上で作用しない力は、それらの力が固定要素の方向に作用するような仕方で逸らされる。具体的に言えば、本発明の固定具は、固定具にある角度で作用する、特に垂直に作用する力を有効に吸収する、もしくはその力に耐えることすらできる。もし例えば、コネクタ要素ホルダーからケーブルが結合方向以外の方向で出ていると、固定具はケーブル軸の方向の張力に耐えることすらできる。
【００２０】
さらに別の好ましい本発明の実施例では、コネクタ要素ホルダーと固定要素とが一体に造られている。このことが意味していることは固定具を簡単につくれることを確実にしていると言うことである。さらに、結果として、コネクタ要素ホルダーは、従来のＲＪ４５ネットワークコネクタのような通例のコネクタ要素へ簡単に適用できる。
【発明を実施するための最良の形態】
【００２１】
本発明の好ましい実施例を図１ないし図１１を使って説明する。
【００２２】
図１の斜視図は、本発明の好ましい固定具Ｂを示している。図に示す断面矩形のコネクタ要素ホルダー１０は側面１２により包囲されている。それぞれの固定要素１４は２つの対向側面１２へ当っており、各固定要素１４のタイ・ロッド１６は結合方向ＫＲと平行に延びている。さらに、各固定要素１４の自由端１８には突起２０があって、この突起２０は結合方向ＫＲに垂直となっており、そしてそれは前面２２と背面２４とを有し、背面２４はケーブルホルダー２６の方に向いている側面である。背面２４は同時に係合部２８を形成しており、固定部Ｂが嵌合片（図示せず）へ固定されるとき係合する。さらに、突起２０の前面２２の傾斜案内面３０は、突起２０が外に向う方向に、すなわちコネクタ要素ホルダー１０から離れる方向にテーパーをつけられている。コネクタ要素ホルダー１０の開口３２と対向するコネクタ要素ホルダー１０の側面へ、すなわちコネクタ要素ホルダー１０の背面３４へケーブルホルダー２６は取りつけられている。ケーブルホルダー２６は結合方向ＫＲに平行に伸びている。
【００２３】
図２は図１の固定具Ｂを示しており、コネクタ要素３６は少なくとも部分的にコネクタ要素ホルダー１０の側面１２により包囲されている。この場合、コネクタ要素３６は結合方向ＫＲの方向で開口３２を通ってコネクタ要素ホルダー１０から外に突出している。コネクタ要素３６へ嵌る従来の錠止デバイス３８はこの場合固定具Ｂにより保持されている、すなわちコネクタ要素ホルダー１０により、もしくはコネクタ要素ホルダー１０の側面１２の一つによって、錠止デバイス３８がロックできない状態で保持されている。さらに、コネクタ要素ホルダー１０の背面３４と、ケーブルホルダー２６を通ってケーブル４０を導く。
【００２４】
図３は図１の固定具Ｂの正面図であって、コネクタ要素３６をコネクタ要素ホルダー１０に保持させている。図４は図１の固定具Ｂの背面図であって、ケーブル４０はコネクタ要素ホルダー１０の背面を通って、そしてケーブルホルダー２６を通っている。図５は図１の固定具Ｂの平面図である。線Ａは図６ａの縦断面図の切断線を示す。図６ａは図１の固定具Ｂの縦断面図であり、図６ｂはそれの側面図であり、図６ａから明らかとなることは固定具Ｂは一体に、好ましくは一片としてつくられている。図７は図１の固定具Ｂの平面図である。コネクタ要素３６とケーブル４０とは図２に示されている。線Ａは図８ａの縦断面図の切断線を示す。図８ｂは固定具Ｂの側面図であってその中にコネクタ要素３６とケーブル４０とが接続されている。
【００２５】
図９はコネクタ要素３６をコネクタ要素ホルダー１０に挿入した図１の固定具Ｂの平面図である。また、図示されている要素４２へ嵌合片４４が取りつけられていて、それへ固定具Ｂを固定できる。加えて、ソケット（図示せず）を収容するソケットホルダー４６が結合方向ＫＲにおいて嵌合片４４の背後で要素４２に取りつけられている。線Ａは図１０ａの断面図の縦断面を示す。図１０ａは図９の断面図であって、図１の固定具Ｂ、コネクタ要素ホルダー１０が囲むコネクタ要素３６、要素４２に取りつけられた嵌合片４４、そしてソケットホルダー４６の断面を示す。図１０ｂは図９の側面図である。図１０ｂにソケット４８も示されており、それはソケットホルダー４６内にある。図１１は、嵌合片４４に固定されている図１の固定具Ｂの背面を示す。固定具の横に嵌合片の別の開口４８があって、この開口を通して別のソケット５０が近接できる。かくして、別のコネクタ要素３６を持つ別の固定具Ｂを嵌合片４４へ固定できる。図９、１０ａ、１０ｂを組合せると嵌合片４４がフレームのような形をしており、ネジ５２により要素４２へ固定されることを理解されよう。
【００２６】
好ましくは開口４８も縁５４を有しており、これらの縁５４で別の固定具Ｂの入口部２８が内側から係合できるようになる。この内側からと言う意味は、係合部２８が上下縁５４の間にあって、例えば、撥ねかえることのできる固定要素１４により結合方向ＫＲに垂直な方向に動けるということである。
【００２７】
コネクタ要素３６がコネクタ要素ホルダー１０に挿入されるとき、コネクタ要素３６の錠止デバイス３８はコネクタ要素ホルダー１０により保持され、錠止デバイス３８はロックしない、すなわちソケット４８との係合に入れないようにされているのが好ましい。このことが意味していることは、結合処理の間固定要素１４の係合部２８が嵌合片４４との係合に入って固定具Ｂを保持し、ロックするのが好ましいと言うことである。好都合なことに、固定具Ｂを嵌合片４４へ結合するためには固定要素１４を相互に向かうように動かせばよい。これは利用者の親指と人差し指との間で押し潰すようにすればできる。結合を解くためには、固定要素１４を相互に向けて動かし、そして固定具Ｂを嵌合片４４から離れる方向に、すなわち結合方向ＫＲと反対の方向に引き離すだけでよい。固定具Ｂとそれへ取りつけられている固定要素１４とは従来の錠止デバイス３８よりも大きいのが好ましい。そうすれば、固定具Ｂの操作は容易であり、例えば手袋を嵌めていても、固定具Ｂを嵌合片４４に結合させ、そして嵌合片４４から離すことも容易である。
【００２８】
上述の嵌合片４４は好ましくはフレームであって、それは要素４２に嵌ってソケット４８を保持し、このソケットに４８にはコネクタ３６が嵌る。しかしながら、フレームはソケット４８と、もしくは要素４２と一体の構成部分であるのが好ましい。
【００２９】
好ましい別の実施例では、ケーブルホルダー２６（これはコネクタ要素３６から出るケーブル４０を包囲している）も固定具Ｂに配置されている。ケーブルホルダー２６は固定具Ｂの背面もしくはコネクタホルダー１０の背面３４に配置されているのが好ましい。ケーブルホルダー２６が固定具Ｂの、もしくはコネクタホルダー１０の一体の構成部分であるのが好ましい。ケーブルホルダー２６は、ケーブル４０がコネクター要素３６にどのように配置されているかに応じて結合方向ＫＲに平行でない方向に形成されてもよい。
【００３０】
本発明のさらに別の好ましい実施例において固定要素１４は固定具Ｂの対向側面１２上で外側にある。本発明のさらに別の好ましい実施例において係合部２８は嵌合片４４を取り巻いている。
【００３１】
コネクタ要素ホルダー１０及び又は固定要素１４及び又はケーブルホルダー２６及び又はタイ・ロッド１６も一体に、もしくは一片として形成されているのが好ましく、それにより簡単な設計が可能となる。
【００３２】
固定具Ｂが嵌合片４４と係合していないときケーブルホルダー２６が固定具Ｂをコネクタ要素３６から離れないようにし、ケーブル４０に沿ってコネクタ要素３６から離れて行かないようにするのが好ましい。換言すれば、固定具Ｂが嵌合片４４と係合していないときはケーブルホルダー２６が固定具Ｂをコネクタ要素３６へ固定する。
【００３３】
本発明の固定具Ｂのさらに別の好ましい実施例において、２つの固定要素１４は嵌合片４４と係合するのが好ましい。このことが意味していることは保持力と応力変形解放とを従来のプラグ、特に先行技術のＲＪ４５回路網プラグと比較して高めるということである。
【００３４】
固定要素１４がコネクタ要素ホルダー１０の対向側面１２に嵌りこむのが好ましい。このことが意味していることは、固定具Ｂが結合操作中独りで心取りする、もしくは整列するということである。
【００３５】
本発明の構成は内側からロックするため場所を節約できるという利点があり、そして固定具Ｂへの力の伝達が改善される。
【００３６】
固定具Ｂが僅かなスペースしか必要としない結果として結合方向ＫＲに垂直な方向に多数のコネクタ要素３６を一列に並べることができ、近接が非常に制限されている場合でさえもなお十分に扱えれる。
【００３７】
ロックが自動的にできるという有利さがあるのは、傾斜案内面３０があるので、固定要素１４は、そして係合部２８もコネクタ要素ホルダー１０の方に寄せられていって、そしてその結果として生じた応力のため最終状態で錠止状態に入れるからである。換言すれば、固定具Ｂが嵌合片４４に配置され、それから例えば親指と人差し指とにより固定要素１４を相互に向って動かさなくても、結合方向ＫＲに動かすことによりロックできる。
【００３８】
別の好ましい実施例では、固定要素１４へ及び又は係合部２８へそれぞれ取りつけられたタイ・ロッド１６によりそれぞれの固定要素１４の歪による変形は有利なことに小さくされる。
【００３９】
別の好ましい実施例の嵌合片４４は、１，２，４もしくは８個の固定具Ｂの嵌合片として１，２，４もしくは８個の開口を有するフレームである。また、ソケット４８をその中に収容した要素４２の開口として嵌合片４４を形成するのが好ましい。
【００４０】
さらに、固定具Ｂが折り畳めるように設計されているのが好ましい。一つの部分、特に好ましいのは固定具Ｂの半部が固定具Ｂの側面の軸の周りで折り畳めて、固定具Ｂの背面３４にケーブル４０を通さなくても、ケーブル４０を接続したコネクタ要素３６を固定具Ｂが包囲できるようにするのが好ましい。
【００４１】
コネクタ要素は所望の従来のプラグ、例えば従来のＲＪ４５ネットワーク・プラグ、従来のＵＳＢプラグ、もしくは従来のファイヤー.ワイヤープラグでよい。さらに、嵌合片は対応プラグに適合するソケットでよい。
【図面の簡単な説明】
【００４２】
【図１】本発明の好ましい実施例の固定具の斜視図。
【図２】コネクタ要素を収容した図１の固定具の斜視図。
【図３】コネクタ要素を収容した図１の固定具の正面図。
【図４】コネクタ要素を収容した図１の固定具の背面図。
【図５】図１の固定具の平面図。
【図６ａ】図１の固定具の、図５のＡ−Ａ線に沿う断面図。
【図６ｂ】図１の固定具の側面図。
【図７】コネクタ要素を収容した図１の固定具の平面図。
【図８ａ】コネクタ要素を収容した図１の固定具の、図７のＡ−Ａ線に沿う縦断面図。
【図８ｂ】コネクタ要素を収容した図１の固定具の側面図。
【図９】コネクタ要素を収容した図１の固定具と、嵌合片を嵌めたソケットの平面図。
【図１０ａ】コネクタ要素を収容した図１の固定具と、ソケットへ嵌めた嵌合片との図９のＡ−Ａ線に沿う縦断面図。
【図１０ｂ】コネクタ要素を収容した図１の固定具と、ソケットへ嵌めた嵌合片との図１０ａの側面図。
【図１１】コネクタ要素を収容し、要素へ取りつけた図１の固定具の背面図と、嵌合片を嵌めたソケットの正面図。
【図１２】従来のコネクタ要素の斜視図。
【符号の説明】
【００４３】
Ｂ    固定具
ＫＲ  結合方向
１０  コネクタ要素ホルダー
１２  側面
１４  固定要素
１６  タイ・ロッド
１８  自由端
２０  突起
２２  前面
２４  背面
２６  ケーブルホルダー
２８  係合部
３０  案内面
３２  開口
３４  背面
３６  コネクタ要素
３８  錠止デバイス
４０  ケーブル
４２  要素
４４  嵌合片
４６  ソケットホルダー
４８  開口
５２  ネジ
５４  縁
【図１】
2005093442.tif 000003
【図２】
2005093442.tif 000004
【図３】
2005093442.tif 000005
【図４】
2005093442.tif 000006
【図５】
2005093442.tif 000007
【図６ａ】
2005093442.tif 000008
【図６ｂ】
2005093442.tif 000009
【図７】
2005093442.tif 000010
【図８ａ】
2005093442.tif 000011
【図８ｂ】
2005093442.tif 000012
【図９】
2005093442.tif 000013
【図１０ａ】
2005093442.tif 000014
【図１０ｂ】
2005093442.tif 000015
【図１１】
2005093442.tif 000016
【図１２】
2005093442.tif 000017
【外国語明細書】
2005093442.tif 000018
2005093442.tif 000019
2005093442.tif 000020
2005093442.tif 000021
2005093442.tif 000022
2005093442.tif 000023
2005093442.tif 000024
2005093442.tif 000025
2005093442.tif 000026
2005093442.tif 000027
2005093442.tif 000028
2005093442.tif 000029
2005093442.tif 000030
2005093442.tif 000031
2005093442.tif 000032
2005093442.tif 000033
2005093442.tif 000034
2005093442.tif 000035
2005093442.tif 000036
2005093442.tif 000037
2005093442.tif 000038
2005093442.tif 000039
2005093442.tif 000040
2005093442.tif 000041
2005093442.tif 000042
2005093442.tif 000043
2005093442.tif 000044
2005093442.tif 000045
2005093442.tif 000046
2005093442.tif 000047
2005093442.tif 000048
2005093442.tif 000049
2005093442.tif 000050
2005093442.tif 000051